(57)【要約】【課題】飲み残したペットボトルを他人に誤飲されてしまうことを防ぎ、ペットボトルのキャップの径が異なっても使用することができ、実用性、携帯性、さらにファッション性の高いペットボトル用マーカーを提供する。【解決手段】ペットボトル２のキャップ３の外周面に巻回されるベルト部１１と、該ベルト部１１の両先端部にそれぞれ設けられた連結部１３と、ベルト部１１の一側から突出した突出部１３とを備え、ベルト部１１をペットボトル２のキャップ３の外周面に巻回した状態で連結部１３を連結することによって、キャップ３に装着されるとともに、突出部１２がキャップ３の上方に位置した状態になるペットボトル用マーカーであり、ベルト部１１、突出部１２がそれぞれキャラクターの腕と頭をモチーフとしたデザインとなっている。【選択図】図２
0003175024.tif 000002
【実用新案登録請求の範囲】
【請求項１】
ペットボトルのキャップの外周面に巻回されるベルト部と、
該ベルト部の両先端部にそれぞれ設けられた連結部と、
前記ベルト部の一側から突出した突出部とを備え、
前記ベルト部をペットボトルのキャップの外周面に巻回した状態で前記連結部を連結することによって前記キャップに装着されるとともに、
前記突出部が前記キャップの上方に位置した状態になる
ことを特徴とするペットボトル用マーカー。
【請求項２】
前記突出部がキャラクターの頭部をモチーフとしていることを特徴とする請求項１記載のペットボトル用マーカー。
【請求項３】
前記ベルト部が前記キャラクターの腕をモチーフとしていることを特徴とする請求項２記載のペットボトル用マーカー。
【請求項４】
前記連結部は、両先端において上下異なる方向に開口された係合溝であることを特徴とする請求項１乃至３のいずれか１項に記載のペットボトル用マーカー。
【請求項５】
シリコーン樹脂製であることを特徴とする請求項１乃至３のいずれか１項に記載のペットボトル用マーカー。
【考案の詳細な説明】
【技術分野】
【０００１】
本考案は、飲み残した飲料用ペットボトルを冷蔵庫等に保管した際に、他人に誤って飲まれてしまうことのないように、簡単に識別することができるペットボトル用マーカーに関する。
【背景技術】
【０００２】
近年、市販の清涼飲料、水、お茶等の各種飲料水は、ペットボトル容器に充填されて販売されているのが主流となっている。ペットボトル容器はキャップを有していることから、缶容器に充填された場合と比べて、途中で飲み残したときにも飲み口に蓋をすることで保管できるという利点がある。しかしながら、飲み残したペットボトル等を冷蔵庫等に保存した場合に、同じ銘柄のペットボトルが複数存在していると、ラベルが共通しているため、自分が飲み残したものか他人が飲み残したものか判別できなくなってしまう問題がある。また、ペットボトルの飲み口に直接口をつけて飲むことがあることから、他人のペットボトルを誤飲してしまうことは、衛生上の観点からも好ましくない。
【０００３】
このような場合、他人に誤飲されるのを防止するために、ペットボトルのキャップ上面にサインペンで名前等の目印をつけることが一般的に行われている。また、キャップ上面の目印等を見逃してしまうおそれがあったり、サインペンのような筆記具が手元に無かったりした場合のために、ラベルの一部に感圧複写紙でできた手書き表示部を設け、筆記具以外の棒切れ等でも記入できるようにしたペットボトル（特許文献１参照。）や、ペットボトルのキャップに嵌合させる飾りキャップ（特許文献２参照。）等が提案されている。
【先行技術文献】
【特許文献】
【０００４】
【特許文献１】特開２００４−２４４０４５号公報
【特許文献２】実用新案登録第３０６６７０９号公報
【考案の概要】
【考案が解決しようとする課題】
【０００５】
しかしながら、上述の特許文献１記載のペットボトルは、ラベルに特殊な加工を施すためコストの面から飲料メーカーにとっては実用的ではない。また、ペットボトルのキャップの外径が、国内産と外国産とで規格が統一されていないことから、特許文献２の飾りキャップでは、嵌めることができなかったり、嵌合が緩くなってしまうといった問題があった。さらに、ペットボトルのキャップの外径よりも厚みがあるため、携帯する際に嵩張ってしまうという問題もあった。
【０００６】
そこで、本考案は、飲み残したペットボトルを他人に誤飲されてしまうことを防ぐためのペットボトル用マーカーであって、ペットボトルのキャップの径が異なっても使用することができ、実用性、携帯性、さらにファッション性の高いペットボトル用マーカーを提供することを目的としている。
【課題を解決するための手段】
【０００７】
上記の目的を達成するため本考案のペットボトル用マーカーは、ペットボトルのキャップの外周面に巻回されるベルト部と、該ベルト部の両先端部にそれぞれ設けられた連結部と、前記ベルト部の一側から突出した突出部とを備え、前記ベルト部をペットボトルのキャップの外周面に巻回した状態で前記連結部を連結することによって前記キャップに装着されるとともに、前記突出部が前記キャップの上方に位置した状態になることを特徴としている。
【０００８】
また、前記突出部がキャラクターの頭部をモチーフとし、前記ベルト部がキャラクターの腕をモチーフとしているとよい。さらに、前記連結部は、両先端において上下異なる方向に開口された係合溝であることを特徴とする。また、シリコーン樹脂製であると好ましい。
【考案の効果】
【０００９】
本考案のペットボトル用マーカーによれば、容易にペットボトルに装着することができ、他人に誤飲されてしまわないように自分のペットボトルであることを確実に識別できるとともに、キャラクターをモチーフにしていることからファッション性も高い。また、未使用時にはシート状となるため、携帯性もよい。さらに、伸縮性のあるシリコーン樹脂製のベルト部をキャップ外周面に巻回することから、ペットボトルのキャップの径が異なっても使用可能となる。
【図面の簡単な説明】
【００１０】
【図１】本考案の一形態例を示すペットボトル用マーカーの斜視図である。
【図２】同じくペットボトル用マーカーの使用状態を示す説明図である。
【考案を実施するための形態】
【００１１】
以下、本考案の一形態例を図１、２に基づいて説明する。本形態例のペットボトル用マーカー１は、使用時にはペットボトル容器２のキャップ３の外周面に巻回されるベルト部１１と、該ベルト部の一側から突出した突出部１２とから構成される。
【００１２】
ベルト部１１、突出部１２は、ともにシリコーン樹脂で形成され、クマのキャラクターのそれぞれ腕、頭をモチーフとしたデザインとなっている。
【００１３】
ベルト部１１の両先端には、両先端同士を連結するための連結部として、上下異なる方向に開口された係合溝１３，１３がそれぞれ設けられている。
【００１４】
ペットボトル用マーカー１の使用時には、突出部１２が上方に位置するようにベルト部１１をキャップ３の外周面に巻回し、係合溝１３，１３を係合させることで、キャップ３に装着される。このようにペットボトル用マーカー１が装着されることにより、クマのキャラクターがキャップ３を抱きかかえているような状態となり、使用者に愛らしい印象を与える。
【００１５】
ベルト部をシリコーン樹脂で形成していることから、多少の伸縮性があるため、キャップ３の径が多少異なる場合でも、問題なく装着することができる。また、未使用時には図１に示すように、薄いシート状となるため、鞄等に収納しても嵩張らず、携帯性が高い。
【００１６】
なお、ペットボトル用マーカー１はシリコーン樹脂製に限らず、伸縮性のある他の材料により形成されてもよい。また、デザインのモチーフは、クマに限らず、各種動物やアニメ等のキャラクターをモチーフとすることができ、各種のデザインを採用することで、購入者のコレクション性を刺激することも可能である。
【符号の説明】
【００１７】
１…ペットボトル用マーカー、２…ペットボトル容器、３…キャップ、１１…ベルト部、１２…突出部、１３…係合溝
【図１】
0003175024.tif 000003
【図２】
0003175024.tif 000004